(57)【特許請求の範囲】
【請求項１】
開口が形成された容器とともに用いられ，上記容器の外面において上記開口の周囲の全体に接着されて上記開口を塞ぐ紙タブ部材であって，
先端部に未接着の摘み部が設けられており，上記未接着の摘み部の先端付近であって，上記摘み部の両側端のそれぞれから離れた箇所に押し跡がつけられており，上記押し跡の両側方のそれぞれに跳ね上がり部が形成され，かつ上記摘み部の両側端部分が下向きに湾曲している，
紙タブ部材。
【請求項２】
上記押し跡が，上記未接着の摘み部の幅方向の中央につけられている，
請求項１に記載の紙タブ部材。
【請求項３】
上記紙タブ部材の引き剥がし方向を長手方向とする長方形の形状を備えている，
請求項１または２に記載の紙タブ部材。
【請求項４】
筒状の胴部と，胴部の上端を閉じる天部と，胴部の下端を閉じる底部とを備え，上記天部に飲み口があけられており，上記飲み口が，上記天部の外面において上記飲み口の周囲の全体に接着された紙タブ部材によって塞がれている飲料用容器において，
上記紙タブ部材の先端部に未接着の摘み部が設けられており，上記未接着の摘み部の先端付近であって，上記摘み部の両側端のそれぞれから離れた箇所に押し跡がつけられており，上記押し跡の両側方のそれぞれに跳ね上がり部が形成され，かつ上記摘み部の両側端部分が下向きに湾曲している，
飲料用容器。
【請求項５】
上記天部の外面に１対の凸状突起部が形成されており，上記未接着の摘み部の下向きに湾曲する両側端部分が上記１対の凸状突起部にそれぞれ乗り上げている，
請求項４に記載の飲料用容器。
【請求項６】
上記天部の外面に凹状窪み部が形成されており，上記凹状窪み部が上記未接着の摘み部の先端付近に位置している，
請求項４または５に記載の飲料用容器。
【請求項７】
上記未接着の摘み部が上記凹状窪み部の少なくとも一部を覆っている，請求項６に記載の飲料用容器。
【請求項８】
上記１対の凸状突起部の間に，上記１対の凸状突起部のそれぞれと間隔をあけて凹状窪み部が形成されている，請求項５から７のいずれか一項に記載の飲料用容器。
【発明の詳細な説明】
【技術分野】
【０００１】
この発明は，紙タブ部材およびこれを備えた飲料用容器に関する。
【背景技術】
【０００２】
天部にあけられた飲み口をタブ部材によって封止した飲料用容器が知られている。タブ部材を天部から引き剥がすことで飲み口が開封される。
【０００３】
タブ部材の全体が容器天部に接触していると，タブ部材の縁部に爪や指をかけにくいためにタブ部材をつまみにくい。特許文献１は，タブ部材を引き剥がすときにタブ部材をつまみやすくするために，タブ部材に孔をあけたもの，切り起しを形成したものを記載する。
【先行技術文献】
【特許文献】
【０００４】
【特許文献１】実開平４−１０６２２４号公報
【０００５】
しかしながら，飲み口を封止するタブ部材は比較的小さい（面積が狭い）ので，タブ部材に孔をあけたり，大きな切り起しを形成するのは難しい。
【発明の開示】
【０００６】
この発明は，タブ部材をさらにつまみやすくして，これによりタブ部材を引き剥がすときの開封性を向上することを目的とする。
【０００７】
この発明は，タブ部材，特に紙を基材とする紙タブ部材を提供するものである。この発明による紙タブ部材は，開口が形成された容器とともに用いられ，上記容器の外面において上記開口の周囲の全体に接着されて上記開口を塞ぐものであって，先端部に未接着の摘み部が設けられており，上記未接着の摘み部の先端縁付近に押し跡がつけられており，上記押し跡の周囲に跳ね上がり部が形成されていることを特徴とする。
【０００８】
この発明による紙タブ部材は，開口が形成された容器とともに用いられるもので，容器に形成された開口を塞ぐ（閉じる）ものである。開口を塞ぐために，紙タブ部材は容器の外面において開口の周囲の全体に接着される。開口を塞ぐ紙タブ部材の先端部に未接着の摘み部が設けられており，この未接着の摘み部の先端縁付近に押し跡がつけられている。ここで先端縁付近とは，先端縁からわずかに離れた箇所を意味する。換言すると，未接着の摘み部の先端縁からわずかに距離をあけて，押し跡がつけられていることを意味する。
【０００９】
紙タブ部材は上述のように紙を基材とするものである。このため，紙タブ部材を局所的に押圧すると，押圧された範囲が凹んでその状態が維持される。すなわち紙タブ部材に押し跡がつく。さらに，紙タブ部材に押し跡をつけるとその周囲に跳ね上がり（盛り上がり）が生じる。上述のように押し跡は未接着の摘み部の先端縁付近につけられ，その周囲が跳ね上がるから，摘み部の先端縁が容器の外面から離れる（浮く）ことになる。摘み部の先端縁と容器の外面との間にすき間があくので，そこに爪ないし指先をかけやすく，摘み部をめくりやすくなる。めくれた摘み部はその後に簡単に指でつまむことができるから，開封作業（紙タブ部材の引き剥がし）が容易になる。なお，容器と接着している紙タブ部材の接着範囲が跳ね上がることはない。跳ね上がり部は一般に押し跡の周囲の全体に形成されるが，上記接着範囲の存在によって一部に跳ね上がり部の無いまたは小さい箇所が存在してもよい。
【００１０】
紙タブ部材は，たとえば上記紙タブ部材の引き剥がし方向を長手方向とする長方形の形状を備えている。紙タブ部材の長手方向に直交する方向（短手方向，幅方向）の先端縁に，上述した跳ね上がりによるすき間が形成される。
【００１１】
一実施態様では，上記押し跡は上記未接着の摘み部の幅方向の中央につけられている。未接着の摘み部の先端縁において，押し跡の両側にバランスよくすき間を確保することができる。
【００１２】
この発明は，上述した紙タブ部材を備える飲料用容器も提供する。この発明による飲料用容器は，筒状の胴部と，胴部の上端を閉じる天部と，胴部の下端を閉じる底部とを備え，上記天部に飲み口があけられており，上記飲み口が，上記天部の外面において上記飲み口の周囲の全体に接着された紙タブ部材によって塞がれているものであって，上記紙タブ部材の先端部に未接着の摘み部が設けられており，上記未接着の摘み部の先端付近に押し跡がつけられており，上記押し跡の周囲に跳ね上がり部が形成されていることを特徴とする。上述したように，跳ね上がり部において容器の天部と未接着の摘み部との間にすき間が形成されるので，そこに爪ないし指先をかけやすく，紙タブ部材を容器の天部から引き剥がしやすい。この発明の飲料用容器は，紙製容器，樹脂製容器，金属製容器など，様々な素材の容器を含む。
【００１３】
一実施態様では，上記容器の天部の外面に凸状突起部が形成されており，上記未接着の摘み部の一部が上記凸状突起部に乗り上げている（被さっている，載っている）。凸状突起部に乗り上げることによって未接着の摘み部と容器の天部との間にすき間が形成される。摘み部の先端縁に爪ないし指をさらにかけやすくなり，摘み部をさらにめくりやすくすることができる。凸状突起部は飲料用容器の天部に形成されるから，比較的大きな，しっかりとした凸状突起部を形成することができる。
【００１４】
好ましくは，上記未接着の摘み部の両側部のそれぞれが乗り上げる１対の凸状突起部が形成されている。未接着の摘み部と天部との間にバランスよくすき間を形成することができる。
【００１５】
他の実施態様では，上記天部の外面に凹状窪み部が形成されており，上記凹状窪み部が上記未接着の摘み部の先端付近に位置している。凹状窪み部に爪ないし指先を潜り込ませて摘み部の先端縁に爪ないし指先をかけやすくすることができる。凹状窪み部は飲料用容器の天部に形成されるから，比較的大きな，しっかりとした凹状窪み部を形成することができる。
【００１６】
凹状窪み部は，爪ないし指先を潜り込ませることができ，かつ潜り込ませた爪ないし指先をタブ部材の摘み部の先端縁にかけることができる位置，すなわち上記未接着の摘み部の先端付近に形成される。一実施態様では，上記未接着の摘み部が上記凹状窪み部の少なくとも一部を覆っている。未接着の摘み部が凹状窪み部の一部を覆う態様では，摘み部によって覆われていないところから爪ないし指先を凹状窪み部に潜り込ませることができる。未接着の摘み部は凹状窪み部の全部を覆っていてもよい。凹状窪み部を覆う摘み部を凹状窪み部に向けて押すと，摘み部の縁部が反り返るから，この態様でも摘み部の先端縁に爪ないし指をかけやすい。
【００１７】
好ましい実施態様では，１対の凸状突起部の間に上記１対の凸状突起部のそれぞれと間隔をあけて上記凹状窪み部が形成される。凸状突起部および凹状窪み部の両方によって，天部と未接着の摘み部との間に比較的広いすき間を確保することができる。
【図面の簡単な説明】
【００１８】
【図１】飲料用紙容器の斜視図である。
【図２】飲料用紙容器の平面図である。
【図３】飲料用紙容器の天部の拡大斜視図である。
【図４】図３のIV−IV線に沿う紙タブ部材の摘み部の端面図である。
【図５】変形例を示すもので，飲料用紙容器の天部の拡大斜視図である。
【図６】図５のVI−VI線に沿う端面図である。
【発明を実施するための形態】
【００１９】
以下，図面を参照してこの発明に係る紙タブ部材およびこれを備える容器を詳細に説明する。
【実施例１】
【００２０】
図１から図４は第１実施例の飲料用紙容器を示している。図１は飲料用紙容器の斜視図である。図２は飲料用紙容器の平面図である。図３は飲料用紙容器の天部の拡大斜視図である。図４は図３のIV−IV線に沿う，後述する紙タブ部材の摘み部および容器の天部の端面図である。図４において，分かりやすくするために紙タブ部材の各層の厚さが強調して描かれている。
【００２１】
飲料用紙容器１は，円筒状の胴部11と，胴部11の上端を閉じる円形の天部12と，胴部11の下端を閉じる円形の底部13から構成されている。胴部11，天部12および底部13はたとえば紙を主成分とし，内面にポリエチレン（ＰＥ）が積層されたものであり，水密性を持つ。外面にポリエチレン，アルミニウム（ＡＬ）等を積層してもよい。たとえば，内面から外面に向けてポリエチレン，紙，ポリエチレン，アルミニウムおよびポリエチレンをこの順番に積層した積層構造のものが用いられる。天部12は胴部11の上縁よりもやや下側に位置しており，天部12の周囲は胴部11の上端部（周壁）11Ａによって囲まれている。
【００２２】
天部12には飲み口（ストロー差し込み開口）14があけられている。飲み口14は，平面からみてしずく形（ティアドロップ形）に，すなわち天部12の中心に向かって先細に形成されている。天部12にあけられた飲み口14が長方形の紙タブ部材21によって塞がれている。
【００２３】
紙タブ部材21は紙を基材とするもので，その内面に熱可塑性樹脂，好ましくはポリオレフィン系樹脂（たとえばポリエチレン（ＰＥ））が積層されたものである。紙タブ部材21の内面に積層された熱可塑性樹脂を用いた熱溶着によって，紙タブ部材21は天部12の外面に接着される。紙タブ部材21と天部12との接着範囲31が図２に一点鎖線によって示されている。すなわち，紙タブ部材21は，その接着範囲31が加熱されかつ天部12の外面に向けて押圧されることで天部12の外面に接着する。紙タブ部材21の接着範囲31は，天部12にあけられた飲み口14の周囲の全体を取り囲み，かつ先細の飲み口14と同じ向きに先細に設けられる。熱溶着に代えて接着剤を用いて紙タブ部材21を天部12に接着することもできる。
【００２４】
紙タブ部材21の先端部分には，天部12の外面に接着されていない未接着範囲が存在する。以下，紙タブ部材21の未接着の先端部分を「摘み部21Ａ」と呼ぶ。
【００２５】
紙タブ部材21の先端の未接着の摘み部21Ａには押しピン（図示略）が押し当てられ，比較的狭い範囲が押圧される。未接着の摘み部21Ａを押しピンを用いて押圧すると，摘み部21Ａには押し跡（谷部）21Ｃがつく。摘み部21Ａに押し当てる押しピンとしては，たとえば円柱状の外形を有しかつ先端がわずかに外向きに湾曲するものを用いることができる。平面から見て円形の，すり鉢形の押し跡21Ｃが摘み部21Ａに形成される。押し跡は平面から見て円形でなくてもよく，矩形，三角形，楕円形，その他の形状であってもよい。いずれにしても，摘み部21Ａに押し当てられる押しピンの形状に応じた形状の押し跡が，未接着の摘み部21Ａにつけられる。
【００２６】
押し跡21Ｃは，紙タブ部材21の先端縁21Ｂからわずかに，たとえば１mm程度内側の箇所につけられ，その大きさ（直径）は紙タブ部材21の幅方向の長さ（紙タブ部材21の長手方向に直交する方向の長さ）の１／３〜１／６程度であり，紙タブ部材21の幅方向のほぼ中央に位置する。すなわち，押し跡21Ｃの前方（先端縁21Ｂに向かう向き）に未接着の摘み部21Ａの広がりはほとんどなく，他方，押し跡21Ｃの両側（左右）（両側縁に向かう向き）には比較的長い距離にわたって未接着の摘み部21Ａが広がっている。
【００２７】
押しピンを摘み部21Ａに押し当てることで紙タブ部材21に押し跡21Ｃをつけると，それと同時に紙タブ部材21の押し跡21Ｃの周囲部分に跳ね上がり（盛り上がり）が生じる（図２，図３，図４において符号21Ｄで示す）。上述したように，押し跡21Ｃの両側（左右）には比較的長い距離にわたって未接着の摘み部21Ａが広がっており，他方押し跡21Ｃの前方（先端縁21Ｂに向かう向き）には未接着の摘み部21Ａの広がりはほとんどない。さらに押し跡21Ｃの後方（飲み口14に向かう向き）には接着範囲31が存在し，容器１の天部12に接着されている。このため，未接着の摘み部21Ａにおける跳ね上がりは，押し跡21Ｃの両側方において大きく生じる。未接着の摘み部21Ａが跳ね上がると，その部分において未接着の摘み部21Ａは容器１の天部12から離れる。上述のように押し跡21Ｃは先端縁21Ｂの近くにつけられているので，摘み部21Ａの先端縁21Ｂと天部12との間にすき間が形成される。
【００２８】
図４を参照して，押し跡21Ｃの両側方のそれぞれにおいて，未接着の摘み部21Ａは一度跳ね上がり（盛り上がり）（跳ね上がり部21Ｄ），側端に向かう途中で次第に下向きに湾曲している。この下向きの湾曲は，紙タブ部材21を容器１の天部12に熱溶着するために接着範囲31に熱を加えることで生じるものである。図４を参照して，紙タブ部材21には摘み部21Ａを含めてその内面に熱可塑性樹脂23が積層されている。未接着の摘み部21Ａに直接に熱は加えられないが，接着範囲31を加熱するときの熱が未接着の摘み部21Ａの部分にも伝わり，これにより摘み部21Ａの範囲においても熱可塑性樹脂23が収縮し，この影響で未接着の摘み部21Ａの側端部分が下向きに湾曲するものである。
【００２９】
図４に示すように，未接着の摘み部21Ａの内面がわの最外層（熱可塑性樹脂23の下層）には抗ヒートシール剤24，たとえばフッ素系樹脂，シリコーン樹脂等が塗布されている。すなわち，未接着の摘み部21Ａは，紙基材22，熱可塑性樹脂23および抗ヒートシール剤24が，外面がわから内面がわに向けてこの順番に積層された３層構造を備えている。未接着の摘み部21Ａの内面に抗ヒートシール剤24が積層されているので，上述のようにして未接着の摘み部21Ａに熱が伝わっている状態で押しピンで押圧されたとしても，摘み部21Ａ（押し跡21Ｃの部分）が天部12の外面に接着されてしまうことはない。なお，抗ヒートシール剤24は，紙タブ部材21の摘み部21Ａではない範囲（接着範囲31）には塗布されないのは言うまでもない。
【００３０】
上述のように紙タブ部材21の摘み部21Ａの先端縁21Ｂが天部12の外面から離れる向き（外向き）に跳ね上がっているので，摘み部21Ａの先端縁21Ｂと天部12との間にすき間が形成され，このすき間から摘み部21Ａの先端縁21Ｂに容易に爪または指先をかけることができ，摘み部21Ａを簡単にめくることができる。めくれた摘み部21Ａを指でつまみ，飲み口14の向きに引っ張ることで紙タブ部材21は引き剥がされる。紙タブ部材21を天部12の外面に接着する接着範囲31が先細に設けられているので，軽い力で紙タブ部材21の引き剥がしを開始することができる。
【実施例２】
【００３１】
図５は第２実施例の飲料用紙容器の平面図である。図６は図５のVI−VI線に沿う，紙タブ部材の摘み部および容器の天部の端面図である。図６において紙タブ部材の摘み部の積層構造の詳細な図示（図４参照）は省略する。第１実施例の飲料用紙容器１と同一の部材には同一符号を付し，重複した説明を省略する。
【００３２】
第２実施例の容器２の天部12の外面（表面）には，天部12の外面を基準面にして，それよりも内向きに窪むデボス部（凹状窪み部）15と，外向きに突出する１対のエンボス部（凸状突起部）16Ｌ，16Ｒとが飲み口14から離れて形成されている。
【００３３】
デボス部15は，先細の飲み口14の延長線上（先細の方向）において，先細の飲み口14の向きとほぼ直交する方向に長方形状に形成されている。デボス部15の長手方向の長さは，紙タブ部材21（摘み部21Ａ）の幅（紙タブ部材21の長手方向に直交する向きの長さ）よりもやや短い。デボス部15の深さはたとえば０．２〜０．９mm程度である。容器２の天部12が持つ厚さ等に応じて，デボス部15の深さは適宜調整される。
【００３４】
エンボス部16Ｌ，16Ｒは，デボス部15の左右の両側においてデボス部15と間隔をあけてそれぞれ形成されており，２つのエンボス部16Ｌ，16Ｒの間にデボス部15が位置している。エンボス部16Ｌ，16Ｒは先細の飲み口14の向きに沿う方向にやや細長く形成されている。エンボス部16Ｌ，16Ｒの高さはたとえば０．２〜０．９mm程度である。エンボス部16Ｌ，16Ｒの高さも，容器２の天部12が持つ厚さ等に応じて適宜調整される。
【００３５】
デボス部15は天部12の外がわから押型を押し当てることで，エンボス部16Ｌ，16Ｒは天部12の内がわから押型を押し当てることで，それぞれ形成される。
【００３６】
デボス部15，エンボス部16Ｌ，16Ｒに向けてのびる紙タブ部材21は，その先端部分の未接着の摘み部21Ａがデボス部15の一部を覆い，かつその左右端がエンボス部16Ｌ，16Ｒにそれぞれ乗り上げている（被さっている，載っている）。
【００３７】
紙タブ部材21の未接着の摘み部21Ａは，上述したようにその左右端が天部12に形成された１対のエンボス部16Ｌ，16Ｒにそれぞれ乗り上げているので，紙タブ部材21の未接着の摘み部21Ａと天部12との間にすき間があく。また摘み部21Ａの先端縁21Ｂがデボス部15の上方に位置しているから，デボス部15に潜り込ませた爪ないし指先を，摘み部21Ａの先端縁21Ｂにかけやすい。さらに紙タブ部材21の摘み部21Ａは上述したように跳ね上がっている（跳ね上がり部21Ｄ）。これらのエンボス部16Ｌ，16Ｒ，デボス部15，および跳ね上がり部21Ｄの組合せによって，紙タブ部材21の摘み部21Ａの先端縁21Ｂに容易に爪または指先をかけることができ，摘み部21Ａを簡単にめくることができる。めくれた摘み部21Ａを指でつまみ，飲み口14の向きに引っ張ることで紙タブ部材21は引き剥がされる。
【００３８】
紙タブ部材21の未接着の摘み部21Ａの先端縁21Ｂをデボス部15の上方に位置させる，すなわち摘み部21Ａによってデボス部15の一部を覆う必要は必ずしもなく，デボス部15の近くに位置させてもよい。この場合であっても，デボス部15に潜り込ませた爪ないし指先を摘み部21Ａの先端縁21Ｂにかけることができる。また，紙タブ部材21の未接着の摘み部21Ａによってデボス部15の全部を覆ってもよい。摘み部21Ａをデボス部15に向けて押すと摘み部21Ａが反り返るから，この態様でも摘み部21Ａの先端縁21Ｂに爪ないし指をかけやすい。
【符号の説明】
【００３９】
１，２  飲料用紙容器
11  胴部
12  天部
13  底部
14  飲み口（開口）
15  デボス部（凹状窪み部）
16Ｌ，16Ｒ  エンボス部（凸状突出部）
21  紙タブ部材
21Ａ  摘み部
21Ｂ  先端縁
21Ｃ  押し跡（谷部）
21Ｄ  跳ね上がり部
22  紙基材
23  熱可塑性樹脂
24  抗ヒートシール剤
【図１】
0006379800.tif 000002
【図２】
0006379800.tif 000003
【図３】
0006379800.tif 000004
【図４】
0006379800.tif 000005
【図５】
0006379800.tif 000006
【図６】
0006379800.tif 000007